(57)【特許請求の範囲】
【請求項１】
二方向回転出力を生じさせるためのモータ；
近位端でモータに連結され、接合面を構成する内キャビティを有するケーシング；
ケーシングの内キャビティ内にあって、回転のためにモータによって作動されるねじ軸；
ケーシングに対して軸方向に並進して移動するための、ケーシングの内キャビティと摺動配置状態にある摺動管を有する摺動管アセンブリー；
摺動管と一緒に軸方向に移動するための、摺動管アセンブリーに連結された一対の移動ナット；を含み、移動ナットは、ねじ軸の回転運動を摺動管の並進運動に変換するために、ねじ軸に作動的に係合され、移動ナットは、移動ナットを摺動管に連結する摺動管アセンブリーの部材の両側にあり、
摺動管アセンブリーの部材は、摺動管の内キャビティ内に配置されたキャリエッジであり、
軸方向と垂直な軸線を中心として、キャリエッジと摺動管の間に第１の回転自由度を提供する少なくとも１つの継ぎ手を更に含み，
前記継ぎ手が２つあり、前記継ぎ手の第１のものは、第１の回転自由度を提供し、前記継ぎ手の第２のものは、軸方向と垂直な他の軸線を中心として第２の回転自由度を提供する、
線形アクチュエータ。
【請求項２】
移動ナットは、部材にねじ係合される、
請求項１による線形アクチュエータ。
【請求項３】
移動ナットの少なくとも１つと部材との間のねじ山ピッチは、ねじ軸のねじ山ピッチとは異なる、
請求項２による線形アクチュエータ。
【請求項４】
移動ナットは、各々転造ボールねじユニットであり、各転造ボールねじユニットは、ねじ軸の螺旋軌道に作動的に受け入れられたボールを有する、
請求項１による線形アクチュエータ。
【請求項５】
摺動管の遠位に、線形アクチュエータを構造物のソケットに接続するための半球接合面を更に含む、
請求項１による線形アクチュエータ。
【請求項６】
キャリエッジは、ねじ軸が通る貫通穴を有するディスクであり、移動ナットは、ディスクの両側に固着される、
請求項１による線形アクチュエータ。
【請求項７】
第１の回転自由度の軸線は、軸方向と直角である，
請求項１による線形アクチュエータ。
【請求項８】
第１の回転自由度の軸線及び第２の回転自由度の軸線は、共通平面にある、
請求項１による線形アクチュエータ。
【請求項９】
軸方向は、共通平面と垂直である、
請求項８による線形アクチュエータ。
【請求項１０】
キャリエッジの外面を内キャビティの面から分離する遊びを更に含み、遊びは、０．００６インチ乃至０．０１４インチ（０．１５２４mm乃至０．３５５６mm）である、
請求項１による線形アクチュエータ。
【請求項１１】
少なくとも１つの継ぎ手は、キャリエッジから半径方向に突出する円筒ローラと、円筒ローラを収容する、摺動管の円形穴と、を含む、
請求項１による線形アクチュエータ。
【請求項１２】
二方向回転出力を生じさせるためのモータ；
近位端でモータに連結され、接合面を構成する内キャビティを有するケーシング；
ケーシングの内キャビティ内にあって、回転のためにモータによって作動されるねじ軸；
ケーシングに対して軸方向に並進して移動するための、ケーシングの内キャビティと摺動配置状態にある摺動管；
摺動管内にあって、摺動管と一緒に軸方向に移動するための、摺動管に連結されたキャリエッジ；
キャリエッジと摺動管との間に、軸方向と垂直の軸線を中心として第１の回転自由度を提供する少なくとも１つの継ぎ手；
摺動管と一緒に軸方向に移動するために、キャリエッジに連結された少なくとも１つの移動ナット；を含み、少なくとも１つの移動ナットは、ねじ軸の回転運動を摺動管の並進運動に変換するため、ねじ軸に作動的に係合され、
前記継ぎ手が２つあり、前記継ぎ手の第１のものは、第１の回転自由度を提供し、前記継ぎ手の第２のものは、軸方向と垂直な他の軸線を中心として第２の回転自由度を提供する、
線形アクチュエータ。
【請求項１３】
第１の回転自由度の軸線は、軸方向と直角である、
請求項１２による線形アクチュエータ。
【請求項１４】
第１の回転自由度の軸線及び第２の回転自由度の軸線は、共通平面にある、
請求項１３による線形アクチュエータ。
【請求項１５】
軸方向は、共通平面と垂直である、
請求項１２による線形アクチュエータ。
【請求項１６】
キャリエッジは、ねじ軸が通る貫通穴を有するディスクである、
請求項１２による線形アクチュエータ。
【請求項１７】
遊びがキャリエッジの外面を内キャビティの面から分離し、遊びは、０．００６インチ乃至０．０１４インチ（０．１５２４mm乃至０．３５５６mm）である、
請求項１２による線形アクチュエータ。
【請求項１８】
少なくとも１つの継ぎ手は、キャリエッジから半径方向に突出する円筒ローラと、円筒ローラを収容する、摺動管の円形穴と、を含む、
請求項１２による線形アクチュエータ。
【発明の詳細な説明】
【技術分野】
【０００１】
本出願は、一連のビデオ画像と同調して又は、オーディオトラックと同調してプラットホームの占有者を変位させるために、運動シミュレーターと一緒に又は運動シミュレーションに使用されるような線形アクチュエータに関する。
【背景技術】
【０００２】
ビデオ及びテレビ放送娯楽産業では、視聴体験を高めるための要求が増えてきた。したがって、視聴画像及び視聴音を改善する多くの改革があった。視聴の連続画像と同調して運動プラットホーム（例えば、座、椅子）の移動を生じさせる運動シミュレーションも開発された。例えば、米国特許第６，５８５，５１５号及び同第７，９３４，７７３号は、視聴体験を高めるために、運動を座に与えるように考案されたシステムの２つの例である。
【０００３】
電気機械線形アクチュは、このような運動プラットホームに通常使用される。これらの線形アクチュエータは、多数のストロークのために、低頻度又は中頻度で、低及び中振幅出力を生じさせることができなければならない。その上、これらの線形アクチュエータは、プラットホーム及びその占有者の重量の一部を支持しなければならない。
【０００４】
線形アクチュエータが、それらの軸方向寸法形状が膨張して運動プラットホームを上昇させる間、線形アクチュエータに加えられる荷重は、軸方向にあるように制限されず、例えば、線形アクチュエータが基礎と運動プラットホームとの間にどのように連結されるかに基づいて、半径方向の成分のような他の成分を有するかもしれない。したがって、線形アクチュエータは、時間外及びサイクル外で、線形アクチュエータを故障に導くことがある荷重を受けるかもしれない。図１は、円筒ケーシング内に摺動可能に受け入れられたタイプの摺動管ピストン，ねじ軸２，及びねじ軸２を摺動管ピストン１に接続する移動ナット３を有する、線形アクチュエータの先行技術の被動群を示す。移動ナット３は、一緒に移動する一体のユニットを形成するように摺動管ピストン１に固着されることが分かる。ねじ軸２の回転は、移動ナット３のために、一部が、摺動管ピストン１の並進運動に変換される。荷重が摺動管ピストン１の端に加えられると、このような荷重は、移動ナット３に伝達される。非軸方向の荷重は、移動ナット３に加えられる摺動管ピストン１のてこ作用により、移動ナット３の寿命に不利な影響を与えるかもしれない。
【発明の概要】
【０００５】
したがって、本開示の目的は、先行技術と関連した問題と取り組む線形アクチュエータを提供することにある。
【０００６】
したがって、本出願の第１実施形態によれば、二方向回転出力を生じさせるためのモータと、近位端でモータに連結され、接合面を構成する内キャビティを有するケーシングと、ケーシングの内キャビティ内にあって、回転のためにモータによって作動されるねじ軸と、ケーシングに対して軸方向に並進して移動するための、ケーシングの内キャビティと摺動配置した摺動管を有する摺動管アセンブリーと、摺動管と一緒に軸方向に移動するため、摺動管アセンブリーに連結された一対の移動ナットと、を含み、移動ナットは、ねじ軸の回転運動を摺動管の並進運動に変換するために、ねじ軸に作動的に係合され、移動ナットは、移動ナットを摺動管に連結する摺動管アセンブリーの部材の両側にある、線形アクチュエータを提供する。
【０００７】
更に、第１の実施形態によれば、移動ナットは、部材にねじ係合される。
【０００８】
更に、第１の実施形態によれば、ねじナットの少なくとも１つと部材との間のねじ山ピッチは、ねじ軸のねじ山ピッチとは異なる。
【０００９】
更に、第１の実施形態によれば、移動ナットは、各々転造ボールねじユニットであり、各転造ボールねじユニットは、ねじ軸の螺旋軌道路に作動的に受け入れられたボールを有する。
【００１０】
更に、第１の実施形態によれば、線形アクチュエータを構造のソケットに接続するための半球接合面は、摺動管の遠位にある。
【００１１】
更に、第１の実施形態によれば、摺動管アセンブリーの部材は、摺動管の内キャビティ内に配置されたキャリエッジである。
【００１２】
更に、第１の実施形態によれば、キャリエッジは、ねじ軸が通る貫通穴を有するディスクであり、移動ナットは、ディスクの両側に固着される。
【００１３】
更に、第１の実施形態によれば、少なくとも１つの継ぎ手は、軸方向と垂直な軸線を中心として、カートリッジと摺動管の間に、第１の回転自由度を提供する。
【００１４】
更に、第１の実施形態によれば、第１の回転自由度の軸線は、軸方向と直角である。
【００１５】
更に、第１の実施形態によれば、前記継ぎ手が２つあり、前記継ぎ手の第１のものは、第１の回転自由度を提供し、前記継ぎ手の第２のものは、軸方向と垂直な他の軸線を中心として第２の回転自由度を提供する。
【００１６】
更に、第１の実施形態によれば、第１の回転自由度の軸線及び第２の回転自由度の軸線は、共通平面にある。
【００１７】
更に、第１の実施形態によれば、軸方向は、共通平面と垂直である。
【００１８】
更に、第１の実施形態によれば、遊びがカートリッジの外面を内キャビティの面から分離し、遊びは、０．００６インチ乃至０．０１４インチ（０．１５２４mm乃至０．３５５６mm）である。
【００１９】
更に、第１の実施形態によれば、少なくとも１つの継ぎ手は、カートリッジから半径方向に突出する円筒ローラと、円筒ローラを収容する、摺動管の円形穴と、を含む。
【００２０】
本発明の第２の実施形態によれば、二方向回転出力を生じさせるためのモータと、近位端でモータに連結され、接合面を構成する内キャビティを有するケーシングと、ケーシングの内キャビティ内にあって、回転のためにモータによって作動されるねじ軸と、ケーシングに対して軸方向に並進して移動するための、ケーシングの内キャビティと摺動配置状態にある摺動管と、摺動管内にあって、摺動管と一緒に軸方向に移動するため、摺動管に連結されたキャリエッジと、軸方向と垂直の軸線を中心として、キャリエッジと摺動管との間に第１の回転自由度を提供する少なくとも１つの継ぎ手と、摺動管と一緒に軸方向に移動するため、キャリエッジに連結された少なくとも１つの移動ナットと、を含み、少なくとも１つの移動ナットは、ねじ軸の回転運動を摺動管の並進運動に変換するために、ねじ軸に作動的に係合される。線形アクチュエータを提供する。
【００２１】
更に、第２の実施形態によれば、第１の回転自由度の軸線は、軸方向と直角である。
【００２２】
更に、第２の実施形態によれば、前記継ぎ手が２つあり、前記継ぎ手の第１のものは、第１の回転自由度を提供し、前記継ぎ手の第２のものは、軸方向と垂直な他の軸線を中心として第２の回転自由度を提供する。
【００２３】
更に、第２の実施形態によれば、第１の回転自由度の軸線及び第２の回転自由度の軸線は、共通平面にある。
【００２４】
更に、第２の実施形態によれば、軸方向は、共通平面と垂直である。
【００２５】
更に、第２の実施形態によれば、キャリエッジは、ねじ軸が通る貫通穴を有するディスクである。
【００２６】
更に、第２の実施形態によれば、遊びがカートリッジの外面を内キャビティの面から分離し、遊びは、０．００６”乃至０．０１４”（０．１５２４mm乃至０．３５５６mm）である。
【００２７】
更に、第２の実施形態によれば、少なくとも１つの継ぎ手は、キャリエッジから半径方向に突出する円筒ローラと、円筒ローラを収容する、摺動管の円形穴と、を含む。
【図面の簡単な説明】
【００２８】
【図１】先行技術による運動シミュレーション用線形アクチュエータの被動群の透けた斜視図である。
【図２】本発明による運動シミュレーション用線形アクチュエータの透けた斜視図である。
【図３】引っ込み状態における図２の運動シミュレーション用線形アクチュエータの被動群の透けた斜視図である。
【図４】図３の運動シミュレーション用線形アクチュエータの被動群の透けた斜視図である。
【発明を実施するための形態】
【００２９】
図面、特に図２を参照すると、運動シミュレーション用線形アクチュエータが１０で図示されている。線形アクチュエータ１０は、一連の画像及び又は音、例えば、映画，テレビ放送イベント，ビデオゲーム，シミュレーション，触覚イベント，仮想現実セッションなど一部と同期して運動プラットホームを移動させるために、基礎と運動プラットホーム（例えば、支持面，椅子、座席，フライトシミュレーター／コンパートメントなど）との間に使用されるように巧く適応される。図示した実施形態の線形アクチュエータ１０は、運動コントローラー、又は、他の適切なそして適応した運動信号源（例えば、メデイアプレーヤー，ディ−シネマプロジェクター，インターネットなど）例えば、行なわせるべき特別な運動を表すコードによって駆動される電気−機械式線形アクチュエータである。運動信号は、線形アクチュエータのモータを駆動するのに適したホーマットで線形アクチュエータ１０に送られる。実施形態では、少なくとも２つのアクチュエータが、座席を基礎に対して支持しかつ移動させるために同時に使用される。したがって、線形アクチュエータ１０は、Ｘと図示された、その軸方向に沿って、並進出力を生じる。以後、軸方向を参照するとき、別なふうに述べない限り、線形アクチュエータ１０の長手方向軸線形アクチュエータを指し、図２−４にＸとして示す。
【００３０】
線形アクチュエータ１０は、３つの群（例えば、３つの部分，３つのサブアセンブリー，など）、すなわち、モータ群１２，構造群１４，被動群１６のアセンブリーである。本開示の詳細は、殆ど被動群１６に関係するので、モータ群１２及び構造群１４は、概略的にのみ図示されかつ簡単に詳述される。しかしながら、参考のため、ＰＣＴ出願第ＰＣＴ／ＵＳ２０１３／０７２６０５号は、モータ群１２の一例及び構造群１４の一例を記載し、それゆえに、援用される。
【００３１】
モータ群１２は、電気ホーマットで運動信号を受信し、受信した運動信号に対応する回転運動を生じる。したがって、モータ群１２は、運動信号源または同様の電気装置に接続される。モータ群１２は、その回転運動を被動群１６に伝達するために、被動群１６に作動的に連結される。
【００３２】
構造群１４は、被動群１６を収容し、かつモータ群１２を被動群１６に作動的に連結する。その上、構造群１４は、線形アクチュエータ１０と運動プラットホーム，基礎，又は支持構造物との間の接続部である。
【００３３】
被動群１６は、モータ群１２からの回転運動を方向Ｘに沿う線形運動に変換し、かつ線形アクチュエータ１０の出力である。被動群１６は、線形アクチュエータ１０と基礎又はベースとの間の接続部であり、構造群１４に対して移動できる。
【００３４】
モータ群１２
図２を参照すると、モータ群１２のいくつかの構成部品がより詳細に示されている。簡単目的のために、モータ群１２の構成部品に２０及び２１の番号が付けられている。
【００３５】
モータ群１２は、電気モータ２０を有する。電気モータ２０は、信号を、直結駆動で、いずれの円方向にも、運動信号に比例する回転出力に変換するために、運動電気信号を受信するタイプの二方向モータである。したがって、電気モータ２０は、図２に出力軸２２を有する。例示として、電気モータ２０は、ブラシレス直流モータである。このタイプの電気モータは、一例として提供され、他の適切なタイプのモータを使用してもよい。出力軸は、軸方向Ｘに突出し、Ｘの回りに回転する。図２のカップリング構成部品２３（例えば、モータ連結器）は、（例えば、固定ねじなどによって）出力軸と一体であるように軸に連結される。それ故に、モータ連結器は、出力軸と一緒に回転する。モータ連結器は、後述するように被動群１６に連結され、又は代替的に、被動群１６の一部であってもよい。
【００３６】
モータ２０の本体は、連結フランジ２１を有する。連結フランジ２１は、ボルト（図示せず），ワッシャーなどのような適当な固着具を使用してモータ２０を構造群１４に連結する。フランジ２１及び固定具に対する代替物として適当なタイプの連結手段を使用してもよい。
【００３７】
構造群１４
図２を参照すると、構造群１４の構成部品がもっと詳細に示されている。簡単目的のために、構造群１４の構成部品に４０乃至４６の番号が付けられている。
【００３８】
構造群１４は、カバー、ハウジングなどとしても知られたケーシング４０を含む。図示した実施形態では、ケーシング４０は、一体のピースである。ケーシング４０は、モータ群１２を被動群１６に接続するので、線形アクチュエータ１０の主構造構成部品であり、また、線形アクチュエータ１０を運動プラットホームに接続する。ケーシング４０は、モータ群１２のフランジ２１との連結のため、ケーシング４０の近位端に位置したフランジ４１を有するのがよい。
【００３９】
図２を参照すると、ケーシング４０は、被動群１６の一部を収容する内キャビティ４２を構成する管状構成部品である。内キャビティ４２は、種々のセクションに分けられる。１つのこのようなセクションは、ケーシング４０の開口遠位端４３まで開口する接合面４４によって範囲が定められている。接合面４４は、被動群１６の移動構成部品が摺動する面である。被動群１６の部分は、方向Ｘに伸張するとき、開口遠位端から出る。
【００４０】
ケーシング４０には、空所の様な他のセクションがあり、被動群１６の構成部品がこの空所の中で支障なく移動する。他のセクションは、下に記載されるように、被動群１６の軸受けのための座によって構成される。下に記載されるように、被動群１６の摺動構成部品のための接触面として作用するスリーブを接合面に配置することも考えられる。スリーブは、ポリテトラフルオロエチレン又は同様の材料のスリーブのような、比較的低摩擦係数の比較的高い硬さを有する材料からなるのがよい。
【００４１】
穴４５のような穴に受け入れられた１つ又はそれ以上のガイドが接合面を貫いて内キャビティ４２の中へ突出する。ガイドの端は、ケーシング４０の内キャビティ４３内にあり、線形運動を確保するために、すなわち、被動群１６の摺動構成部品の回転止めガイドとして役立つために、被動群１６の摺動構成部品のガイドとして役立つ。その上、ガイドは、図示した実施形態にはないが、線形アクチュエータ１０のストロークの範囲を定めるストッパーとして作用する。図示した実施形態では、ガイドは、ケーシング４０の外部から、すなわち穴４５でアクセスできるボルト頭をもったボルトである。空気を線形アクチュエータ１０の内部から逃す換気穴もケーシング４０に構成されるのがよい。換気穴は、フィルター又はスクリーンで保護されるのがよい。
【００４２】
連結フランジ４６がケーシング４０の遠位端に固着され、構造物に、すなわち運動プラットホームなどに固着されるべき連結貫通穴などを具備するのがよい。連結フランジ４６は、線形アクチュエータ１０の多数の連結構成のうちの１つである。
モータ群１２及び構造群に関する上記の詳細は、例示態様として与えられる。
【００４３】
被動群１６
図２乃至４を参照すると、被動群１６の構成部品は、もっと詳細に示される。簡単目的のため、被動群１６の構成部品に番号６０が付けられている。
【００４４】
被動群１６は、ピストンとしても知られる、摺動管６０（図３及び４に見える）を含む摺動管アセンブリーを有する。摺動管６０は、被動群１６の主移動構成部品である。摺動管６０は、ケーシング４０の内キャビティ４３内に嵌められ、そしてスリーブ又はケーシング４０の内面を構成する接合面４４（図２）と滑り接触状態にあるように寸法決めされている。それ故に、摺動管６０は、ケーシング４０の内キャビティ４３内で軸方向Ｘに移動し、摺動管６０の遠位端は、選択された可変距離だけケーシング４０の遠位端の外に突出する。図２−４には、摺動管６０が線形アクチュエータ１０の引っ込み状態でケーシング４０内に示されているが、摺動管６０の相当部分は、線形アクチュエータ１０の伸長状態では、ケーシング４０の外に完全に伸長される。
【００４５】
したがって、図２では、接触面６１がケーシング４０の外側で、摺動管６０の遠位端に設けられる。接触面６１は、線形アクチュエータ１０が、該接触面６１を下方にして配置されるならば、基礎又はベース接触面になる。例えば、接触面６１は、基礎に直接位置してもよいし、継ぎ手の一部でもよいし、或いは継ぎ手に連結されてもよい。変形例として、線形アクチュエータ１０が、接触面６１を上方にして配置されるならば、接触面６１は、例えば継ぎ手によって運動プラットホームに（例えば、座席又は座席フレームの下に）連結される。接触面６１は、図では、ボルト６２（図２）によって摺動管６０のタップ穴６３（図４）に固着された切頭円錐形を有するものとして示されている。切頭円錐形接合面６１及びボルト６２は、摺動管６０の端に接合面として使用することができる多くの他のものの中の１つの解決策である。
【００４６】
図３−４を参照すると、内キャビティ６４は、摺動管６０の長さの可なりの部分にそって延びているものとして示されている。内キャビティ６４の近位セクション６５は、遠位セクションよりも大きい内径を有するものとして示されており、肩６６が２つのセクション間の境界である。
【００４７】
摺動管６０の外面には、ガイド溝６７が形成される。ガイド溝６７は、軸方向Ｘと平行である。操作中、穴４５（図２）に受け入れられたガイドの端は、ガイド溝６７に受け入れられる。図示した実施形態では、摺動管６０は単一のガイド溝６７を特徴としている。しかしながら、多数のガイド溝６７と対応する数のガイド４９を使用してもよい。
【００４８】
摺動管６０の壁を貫いて穴６８が構成される。穴６８は、摺動管６０の同じ垂直平面にそれぞれ軸線を有するものとして示され、軸方向Ｘは、横平面と実質的に垂直である。その上、対の穴６８の軸線は、横平面で互いに直角であるとして示されている。穴６８は、摺動管６０の近位セクションに配置され、そして円形断面のものである。横平面及び直角関係は線形アクチュエータ１０の最適な操作に大変適しているが、他の構成が考慮される。
【００４９】
摺動管アセンブリーと、摺動管に作動的に連結されたキャリエッジ７０を更に含む。キャリエッジ７０は、近位セクションの内キャビティ６５内に受け入れている。キャリエッジ７０は、ディスク状形状を有し、そして摺動管６０の内キャビティ６５の面に接触する円筒周面を有する。ディスクは、摺動管６０の内キャビティの形状に基づいた任意の周囲形状（すなわち円形だけではない）、すなわち円形、楕円形，四角形，などを含む。変形例として、実施形態によれば、摺動管６０と一体で、摺動管６０の内キャビティの面から半径方向内方に突出する内壁のような、摺動管６０と一体の部材がキャビティ７０の代わりに使用される。
【００５０】
一対のローラ７１が、キャリエッジ７１から半径方向に突出し、そして図３及び４に示す方法で穴６８に受け入れられる。それ故に、一対の回転継ぎ手が、穴６８とローラ７１の各組み合わせ間に形成される。摺動管６０内のキャリエッジ７０のしまり嵌め性質により、これらの回転継ぎ手に移動が制限されるが、キャリエッジ７０と摺動管６０との間に、軸線ＹとＺ、すなわち、図３及び４の穴６８とローラ７１の軸線を中心として２つの回転自由度がある。キャリエッジ７０と摺動管６０との間の適当なしまり嵌め関係は、例として、すなわち横平面での移動とすれば、０．０１０インチ±０．００４インチ（０．２５４mm±０．０８１６mm）の遊びである。キャリエッジ７０と摺動管６０の間の角度回転を増減させるために、多少の遊びを、なお使用してもよい。穴６８とローラ７１の各組に微小な量の遊びを設ける。この微小な量の遊びは、キャリエッジ７０と摺動管６０との間の２つの回転自由度を可能にする。それ故に、摺動管６０及びキャリエッジ７０は、方向Ｘに同時に移動し、それらの間に、方向Ｘと直角な軸線を中心として、いくらかの回転自由度が可能である。図２−４は、ローラ７１がキャリエッジ７０に連結され、そして穴６８に受け入れられていることを示しているが、キャリエッジ７０に設けた穴と摺動管６０から半径方向内方にそしてキャリエッジの穴の中へ突出するローラとの逆の形態を有することが考えられる。ローラ７１は、任意の種類の軸受けを含むのがよい。変形例として、ローラ７１は、単に、穴６８の面と接触する低摩擦面を有する円筒形柱でもよい。キャリエッジ７０と摺動管６０との間に２つの回転自由度を可能にする万能継ぎ手構成をキャリエッジ７０と摺動管６０との間に形成することが予想される。
【００５１】
一対の移動ナット７２がキャリエッジ７０の両側に固着され（或いは、摺動管アセンブリーにキャリエッジ７０がなければ、同様の部材）、それによって、キャリエッジ７０は、移動ナット７２の間の中央に置かれる。移動ナット７２は、各々、ねじ込み形を有し、それによって、移動ナットは、キャリエッジ７０と一体に移動するように、キャリエッジ７０のタップ穴にねじ連結される。実施形態では、キャリエッジ７０に対する移動ナット７２の緩みの危険を減じるために、ねじ込み形のねじ山ピッチは、移動ナット７２が作動している親ねじのネジ山ピッチと異なる。ねじ込み形のねじ山ピッチも互いに異なる移動ナット７２は、親ねじ（すなわち、ねじ軸）と作動して親ねじの回転を方向Ｘに摺動管６０及びキャリエッジ７０の並進運動に変換する任意適当なタイプの機構でもよい。例えば、移動ナット７２は各々ボールねじユニットである。１つの適当なボールねじユニットは、ＳＨタイプのボールナットのような、戻り管を有するＳＫＫ転造ボールねじである。しかしながら、多くの他のタイプの移動ねじ７２が転造ボールねじの代替物と考慮される。
【００５２】
図２乃至４を同時に参照すると、ねじ軸８０（すなわち、親ねじ，ボルト）は、移動ナット７２と作動係合状態にある。ねじ軸８０は、電気モータ２０に連結され、モータ２０の回転出力を摺動管６０に伝達する。ねじ軸８０は、移動ナット７２と矛盾のない、すなわち、移動ナット７２のボールを受け入れる螺旋軌道を有する。移動ナット７２がキャリエッジ７０に固定されているので、また摺動管６０が、穴４５内のガイドとガイド溝６７との間の相互作用により並進移動に制限されるから、ねじ軸８０の回転により、移動ナット７２は並進移動する。
【００５３】
ねじ軸８０は、ケーシング４０に回転自在に連結され、並進が維持されながら、その長手方向軸線（軸方向と実質的に平行）を中心に回転する。軸受けがねじ軸８０とケーシング４０との接触面であるのがよい。軸受けは、ボール軸受け，ローラ軸受け，ボールなし軸受け，又は任意適当な形式の軸受けでよい。
【００５４】
軸連結器８１が軸８０を等しいモータ連結器に連結するために設けられる。軸連結器８１は、また軸受けとねじ軸８０との接触面である。一対の突出部８２が近位方向に突出し、そして多くの可能な連結形態の１つで、電気モータ２０からの回転出力を軸８０に伝達するため、モータ２０のモータ連結器のフィンガーに連結される。他の形態では、ねじ軸８０は、モータ２０の軸と又は軸の一部と一体である。このような形態では、モータ２０と軸８０との連結は不要である。
【００５５】
今、線形アクチュエータ１０の種々の構成部品を記載した。
【００５６】
接触面６１が基礎に対峙するように向けられるものとして、操作が線形アクチュエータ１０に適用される。
【００５７】
線形アクチュエータ１０は、摺動管６０の位置がケーシング４０に対して知られていることについて、最初に校正される。これは、プラットホームコントローラーによって制御されるように、線形アクチュエータ１０がオンにされるとき、校正移動を含む適当な方法でなられる。
【００５８】
電気モータ２０は運動信号を受信し、それ故に、選択された方向に、運動信号に比例する回転出力を生じる。回転出力は、出力軸とねじ軸との連結を経て出力軸からねじ軸８０に伝達される。
【００５９】
キャリエッジ７０と移動ナット７２は、ねじ軸８０の回転を、軸方向に沿って、摺動管６０の並進運動に変換する。摺動管６０は基礎又はベースに連結されるから、生じる作用は、基礎又はベースに対するモータ２０及びケーシング４０の並進運動である。運動プラスチックパイプとホームがモータ２０又はケーシング４０に連結されるから、運動プラットホームはモータ２０及びケーシング４０と一緒に移動する。追加の自由度が、例えば、運動プラットホーム，基礎／ベース，及び線形アクチュエータ１０の間の継ぎ手の存在によって、基礎／ベース，モータ２０／ケーシング４０のいずれかと摺動管６０との間にあることを指摘する。
【００６０】
例えば、摺動管６０は、運動プラットホームに連結され、モータ２０及びケーシング４０は基礎又はベースに固着される。このような場合には、運動プラットホームは、摺動管６０と一緒に移動する。
【００６１】
キャリエッジ７０の両側の一対の移動ナット７２の存在のために、摺動管６０に対抗する非軸方向荷重は、より均等に分配される。ねじ軸８０上の移動ナット７２の増大長さは、荷重の分配を改善するのを助ける。その結果、図２乃至４の形態を有する線形アクチュエータ１０は、移動ナット３が１つである、図１に示す被動群を採用する線形アクチュエータよりも長い寿命を有する。対の移動ナット７２は、キャリエッジ７０の必要なしに、摺動管６０に（例えば、内方フランジに）直接連結されてもよい。
【００６２】
その上、キャリエッジ７０と摺動管８０との間の回転継ぎ手から生じる，キャリエッジ７０の横平面における少なくとも１つの回転自由度の存在は、例えば、移動ナット７２及びねじ軸８０に加わる角張力を減ずることによって、キャリエッジ７０及び移動ナット７２のような、被動群６０の校正部品に加わるいくらかの荷重の影響を少なくする。２つの異なる回転自由度が図２乃至４の実施形態に示されているけれども、単一の回転自由度は、被動群１６に加わるいくらかの荷重の影響を減ずる。
【００６３】
中央のキャリエッジ７０の両側に一対の移動ナット７２を使用する概念を、摺動管６０とキャリエッジ７０との間の１つ以上の回転自由度を有することの概念と組み合わせて又はそれとは別個に使用してもよい。
【図１】
0006702964.tif 000002
【図２】
0006702964.tif 000003
【図３】
0006702964.tif 000004
【図４】
0006702964.tif 000005